【手続補正書】
【提出日】平成15年7月28日(2003.7.28)
【手続補正１】
【補正対象書類名】明細書
【補正対象項目名】発明の名称
【補正方法】変更
【補正の内容】
【発明の名称】信号出力装置及びステレオ装置
【手続補正２】
【補正対象書類名】明細書
【補正対象項目名】特許請求の範囲
【補正方法】変更
【補正の内容】
【特許請求の範囲】
【請求項１】
入力信号を非反転増幅して出力する正相増幅手段及び入力信号を反転増幅して出力する逆相増幅手段からなる一対の増幅手段と、前記正相増幅手段の出力側に接続される第１の出力端子と、前記逆相増幅手段の出力側に接続される第２の出力端子と、を備え、
前記増幅手段に入力する入力信号として２値量子化信号を用いることを特徴とする信号出力装置。
【請求項２】
入力信号を非反転増幅して出力する第１の正相増幅手段及び入力信号を反転増幅して出力する第１の逆相増幅手段からなる一対の第１の増幅手段と、入力信号を非反転増幅して出力する第２の正相増幅手段及び入力信号を反転増幅して出力する第２の逆相増幅手段からなる一対の第２の増幅手段と、前記第１の正相増幅手段の出力側に接続される第１の正相出力端子と、前記第２の正相増幅手段の出力側に接続される第２の正相出力端子と、前記第１の逆相増幅手段の出力側に接続される第１の逆相出力端子と、前記第２の逆相増幅手段の出力側に接続される第２の逆相出力端子と、を備え、
前記第１の正相増幅手段及び前記第１の逆相増幅手段が第１の入力信号を入力し、前記第２の正相増幅手段及び前記第２の逆相増幅手段が第２の入力信号を入力し、
４端子プラグと、前記４端子プラグの第１の端子と第３の端子との間に設けられる抵抗と、前記３端子プラグの第２の端子と第４の端子との間に設けられる抵抗とを有する音声出力手段が接続されたときに、
前記第１の正相出力端子と前記４端子プラグの第１の端子とが接続され、前記第２の正相出力端子と前記４端子プラグの第２の端子とが接続され、前記第１の逆相出力端子と前記４端子プラグの第３の端子とが接続され、前記第２の逆相出力端子と前記４端子プラグの第４の端子とが接続され、
前記第１の入力信号を増幅した電圧を前記４端子プラグの第１の端子と第３の端子との間に設けられる抵抗の両端に出力し、前記第２の入力信号を増幅した電圧を前記３端子プラグの第２の端子と第４の端子との間に設けられる抵抗の両端に出力することを特徴とする信号出力装置。
【請求項３】
入力信号を非反転増幅して出力する第１の正相増幅手段及び第２の正相増幅手段と、入力信号を反転増幅して出力する第１の逆相増幅手段及び第２の逆相増幅手段と、前記第１の正相増幅手段の出力側に接続される第１の正相出力端子と、前記第２の正相増幅手段の出力側に接続される第２の正相出力端子と、前記第１の逆相増幅手段の出力側に接続される第１の逆相出力端子と、前記第２の逆相増幅手段の出力側に接続される第２の逆相出力端子と、を備え、
前記第１の正相増幅手段及び前記第１の逆相増幅手段が第１の入力信号を入力し、前記第２の正相増幅手段及び前記第２の逆相増幅手段が第２の入力信号を入力し、
前記第１の正相増幅手段と前記第１の正相出力端子とが第１の抵抗を介して接続され、前記第２の正相増幅手段と前記第２の正相出力端子とが第２の抵抗を介して接続される請求項１に記載の信号出力装置。
【請求項４】
入力信号を非反転増幅して出力する第１の正相増幅手段及び第２の正相増幅手段と、入力信号を反転増幅して出力する第１の逆相増幅手段及び第２の逆相増幅手段と、前記第１の正相増幅手段の出力側に接続される第１の正相出力端子と、前記第２の正相増幅手段の出力側に接続される第２の正相出力端子と、前記第１の逆相増幅手段の出力側に接続される第１の逆相出力端子と、前記第２の逆相増幅手段の出力側に接続される第２の逆相出力端子と、を備え、
前記第１の正相増幅手段及び前記第１の逆相増幅手段が第１の入力信号を入力し、前記第２の正相増幅手段及び前記第２の逆相増幅手段が第２の入力信号を入力し、
前記第１の逆相増幅手段と前記第１の逆相出力端子とが第１の抵抗を介して接続され、前記第２の逆相増幅手段と前記第２の逆相出力端子とが第２の抵抗を介して接続される請求項１に記載の信号出力装置。
【請求項５】
前記第１の入力信号及び第２の入力信号が、２値量子化信号である請求項３又は請求項４に記載の信号出力装置。
【請求項６】
前記第１の抵抗及び前記第２の抵抗が可変抵抗である請求項３〜５のいずれかに記載の信号出力装置。
【請求項７】
前記第１の抵抗及び前記第２の抵抗がそれぞれ、複数の抵抗及び該複数の抵抗の接続状態を切り替える切替手段から成る抵抗手段である請求項３〜５のいずれかに記載の信号出力装置。
【請求項８】
入力信号を非反転増幅して出力する正相増幅手段及び入力信号を反転増幅して出力する逆相増幅手段からなる一対の増幅手段と、前記正相増幅手段の出力側に接続される第１の出力端子と、前記逆相増幅手段の出力側に接続される第２の出力端子と、を備え、
前記増幅手段に入力する入力信号として２値量子化信号を用いることを特徴とするステレオ装置。
【請求項９】
入力信号を非反転増幅して出力する第１の正相増幅手段及び入力信号を反転増幅して出力する第１の逆相増幅手段からなる一対の第１の増幅手段と、入力信号を非反転増幅して出力する第２の正相増幅手段及び入力信号を反転増幅して出力する第２の逆相増幅手段からなる一対の第２の増幅手段と、前記第１の正相増幅手段の出力側に接続される第１の正相出力端子と、前記第２の正相増幅手段の出力側に接続される第２の正相出力端子と、前記第１の逆相増幅手段の出力側に接続される第１の逆相出力端子と、前記第２の逆相増幅手段の出力側に接続される第２の逆相出力端子と、を備え、
前記第１の正相増幅手段及び前記第１の逆相増幅手段が第１の入力信号を入力し、前記第２の正相増幅手段及び前記第２の逆相増幅手段が第２の入力信号を入力し、
４つの端子を有するプラグのそれぞれの端子が、前記第１の正相出力端子と、前記第２の正相出力端子と、前記第１の逆相出力端子と、前記第２の逆相出力端子とにそれぞれ接続されたときに、
前記第１の正相出力端子に接続される前記プラグの端子と、前記第１の逆相出力端子に接続される前記プラグの端子との間に設けた抵抗により両端子間の電圧を発生させ、
前記第２の正相出力端子に接続される前記プラグの端子と、前記第２の逆相出力端子に接続される前記プラグの端子との間に設けた抵抗により両端子間の電圧を発生させることを特徴とするステレオ装置。
【手続補正３】
【補正対象書類名】明細書
【補正対象項目名】０００１
【補正方法】変更
【補正の内容】
【０００１】
【発明の属する技術分野】
本発明は、オーディオ信号を出力する信号出力装置及びステレオ装置に関するものである。


【手続補正４】
【補正対象書類名】明細書
【補正対象項目名】０００７
【補正方法】変更
【補正の内容】
【０００７】
本発明は、上記の問題点に鑑み、電源電圧の変動の影響を受けない信号出力装置及びステレオ装置を提供することを第一の目的とする。


【手続補正５】
【補正対象書類名】明細書
【補正対象項目名】００１１
【補正方法】変更
【補正の内容】
【００１１】
本発明は、上記の問題点に鑑み、３端子ヘッドホンと接続しても破損しない２チャネルのステレオタイプ出力をする平衡出力型信号出力装置を提供することを第二の目的とする。


【手続補正６】
【補正対象書類名】明細書
【補正対象項目名】００１２
【補正方法】変更
【補正の内容】
【００１２】
【課題を解決するための手段】
上記第一の目的を達成するために、本発明に係る信号出力装置においては、入力信号を非反転増幅して出力する正相増幅手段及び入力信号を反転増幅して出力する逆相増幅手段からなる一対の増幅手段と、前記正相増幅手段の出力側に接続される第１の出力端子と、前記逆相増幅手段の出力側に接続される第２の出力端子と、を備え、前記増幅手段に入力する入力信号として２値量子化信号を用いる。また、上記第一の目的を達成するために、本発明に係る信号出力装置又はステレオ装置においては、入力信号を非反転増幅して出力する第１の正相増幅手段及び入力信号を反転増幅して出力する第１の逆相増幅手段からなる一対の第１の増幅手段と、入力信号を非反転増幅して出力する第２の正相増幅手段及び入力信号を反転増幅して出力する第２の逆相増幅手段からなる一対の第２の増幅手段と、前記第１の正相増幅手段の出力側に接続される第１の正相出力端子と、前記第２の正相増幅手段の出力側に接続される第２の正相出力端子と、前記第１の逆相増幅手段の出力側に接続される第１の逆相出力端子と、前記第２の逆相増幅手段の出力側に接続される第２の逆相出力端子と、を備え、前記第１の正相増幅手段及び前記第１の逆相増幅手段が第１の入力信号を入力し、前記第２の正相増幅手段及び前記第２の逆相増幅手段が第２の入力信号を入力し、
４端子プラグと、前記４端子プラグの第１の端子と第３の端子との間に設けられる抵抗と、前記３端子プラグの第２の端子と第４の端子との間に設けられる抵抗とを有する音声出力手段が接続されたときに、
前記第１の正相出力端子と前記４端子プラグの第１の端子とが接続され、前記第２の正相出力端子と前記４端子プラグの第２の端子とが接続され、前記第１の逆相出力端子と前記４端子プラグの第３の端子とが接続され、前記第２の逆相出力端子と前記４端子プラグの第４の端子とが接続され、前記第１の入力信号を増幅した電圧を前記４端子プラグの第１の端子と第３の端子との間に設けられる抵抗の両端に出力し、前記第２の入力信号を増幅した電圧を前記３端子プラグの第２の端子と第４の端子との間に設けられる抵抗の両端に出力する。
【手続補正７】
【補正対象書類名】明細書
【補正対象項目名】００１３
【補正方法】変更
【補正の内容】
【００１３】
上記第二の目的を達成するために、本発明に係る信号出力装置においては、入力信号を非反転増幅して出力する第１の正相増幅手段及び第２の正相増幅手段と、入力信号を反転増幅して出力する第１の逆相増幅手段及び第２の逆相増幅手段と、前記第１の正相増幅手段の出力側に接続される第１の正相出力端子と、前記第２の正相増幅手段の出力側に接続される第２の正相出力端子と、前記第１の逆相増幅手段の出力側に接続される第１の逆相出力端子と、前記第２の逆相増幅手段の出力側に接続される第２の逆相出力端子と、を備え、前記第１の正相増幅手段及び前記第１の逆相増幅手段が第１の入力信号を入力し、前記第２の正相増幅手段及び前記第２の逆相増幅手段が第２の入力信号を入力し、前記第１の正相増幅手段と前記第１の正相出力端子とが第１の抵抗を介して接続され、前記第２の正相増幅手段と前記第２の正相出力端子とが第２の抵抗を介して接続されるようにする。または、入力信号を非反転増幅して出力する第１の正相増幅手段及び第２の正相増幅手段と、入力信号を反転増幅して出力する第１の逆相増幅手段及び第２の逆相増幅手段と、前記第１の正相増幅手段の出力側に接続される第１の正相出力端子と、前記第２の正相増幅手段の出力側に接続される第２の正相出力端子と、前記第１の逆相増幅手段の出力側に接続される第１の逆相出力端子と、前記第２の逆相増幅手段の出力側に接続される第２の逆相出力端子と、を備え、前記第１の正相増幅手段及び前記第１の逆相増幅手段が第１の入力信号を入力し、前記第２の正相増幅手段及び前記第２の逆相増幅手段が第２の入力信号を入力し、前記第１の逆相増幅手段と前記第１の逆相出力端子とが第１の抵抗を介して接続され、前記第２の逆相増幅手段と前記第２の逆相出力端子とが第２の抵抗を介して接続されるようにする。


【手続補正８】
【補正対象書類名】明細書
【補正対象項目名】００２１
【補正方法】変更
【補正の内容】
【００２１】
このような構成である第一実施形態のディジタルアンプの動作について説明する。アナログオーディオ信号Ｓ２は、デルタシグマ変調回路１３によって２値量子化信号に変換される。また、１６ビットディジタル信号は、補間回路１４によって例えば、元のサンプリング周波数のＮ倍のサンプリング周波数の３２ビットディジタル信号に変換される。その３２ビットディジタル信号は、デルタシグマ変調回路１５によって２値量子化信号に変換される。したがって、スイッチ回路１６の端子１６ａ、１６ｂ、及び１６ｃに入力される信号はいずれも２値量子化信号である。


【手続補正９】
【補正対象書類名】明細書
【補正対象項目名】００５８
【補正方法】変更
【補正の内容】
【００５８】
【発明の効果】
本発明によると、入力信号を非反転増幅して出力する正相増幅手段及び入力信号を反転増幅して出力する逆相増幅手段からなる一対の増幅手段と、正相増幅手段の出力側に接続される第１の出力端子と、逆相増幅手段の出力側に接続される第２の出力端子と、を備え、前記増幅手段に入力する信号として２値量子化信号を用いるので、第１の出力端子と第２の出力端子との間の電圧である出力オーディオ信号が電源電圧の影響を受けないディジタル信号出力装置を実現することができる。これにより、良好な音質を得ることができる。また、このディジタル信号出力装置とオーディオ機器に設けられる他のディジタル回路とからなる集積回路の製造が容易になり、オーディオ機器の低コスト化を図ることができる。また、本発明に係る信号出力装置又はステレオ装置によると、入力信号を非反転増幅して出力する第１の正相増幅手段及び入力信号を反転増幅して出力する第１の逆相増幅手段からなる一対の第１の増幅手段と、入力信号を非反転増幅して出力する第２の正相増幅手段及び入力信号を反転増幅して出力する第２の逆相増幅手段からなる一対の第２の増幅手段と、前記第１の正相増幅手段の出力側に接続される第１の正相出力端子と、前記第２の正相増幅手段の出力側に接続される第２の正相出力端子と、前記第１の逆相増幅手段の出力側に接続される第１の逆相出力端子と、前記第２の逆相増幅手段の出力側に接続される第２の逆相出力端子と、を備え、前記第１の正相増幅手段及び前記第１の逆相増幅手段が第１の入力信号を入力し、前記第２の正相増幅手段及び前記第２の逆相増幅手段が第２の入力信号を入力し、４端子プラグと、前記４端子プラグの第１の端子と第３の端子との間に設けられる抵抗と、前記３端子プラグの第２の端子と第４の端子との間に設けられる抵抗とを有する音声出力手段が接続されたときに、前記第１の正相出力端子と前記４端子プラグの第１の端子とが接続され、前記第２の正相出力端子と前記４端子プラグの第２の端子とが接続され、前記第１の逆相出力端子と前記４端子プラグの第３の端子とが接続され、前記第２の逆相出力端子と前記４端子プラグの第４の端子とが接続され、前記第１の入力信号を増幅した電圧を前記４端子プラグの第１の端子と第３の端子との間に設けられる抵抗の両端に出力し、前記第２の入力信号を増幅した電圧を前記３端子プラグの第２の端子と第４の端子との間に設けられる抵抗の両端に出力するので、上記効果を奏するとともに２チャンネルのステレオ出力が可能となる。
【手続補正１０】
【補正対象書類名】明細書
【補正対象項目名】００５９
【補正方法】変更
【補正の内容】
【００５９】
また、本発明によると、第１の正相増幅手段及び第２の正相増幅手段と、第１の逆相増幅手段及び第２の逆相増幅手段と、第１の正相増幅手段の出力側に接続される第１の正相出力端子と、第２の正相増幅手段の出力側に接続される第２の正相出力端子と、第１の逆相増幅手段の出力側に接続される第１の逆相出力端子と、第２の逆相増幅手段の出力側に接続される第２の逆相出力端子と、を備え、第１の正相増幅手段及び第１の逆相増幅手段が第１の入力信号を入力し、第２の正相増幅手段及び第２の逆相増幅手段が第２の入力信号を入力し、第１の正相増幅手段と第１の正相出力端子とが第１の抵抗を介して接続され、第２の正相増幅手段と第２の正相出力端子とが第２の抵抗を介して接続されるので、第１の正相出力端子と第１の逆相出力端子がヘッドホンのボイス・コイルを介して接続されると第１の正相出力端子の電位を第１の正相増幅手段の出力信号と第１の逆相増幅手段の出力信号との中間レベル付近にすることができ、第２の正相出力端子と第２の逆相出力端子がヘッドホンのボイス・コイルを介して接続されると第２の正相出力端子の電位を第２の正相増幅手段の出力信号と第２の逆相増幅手段の出力信号との中間レベル付近にすることができる。これにより、３端子ヘッドホンが接続されることによって第１の正相出力端子と第２の正相出力端子とが接続されても、第１の正相出力端子と第２の正相出力端子との電位差を小さくすることができる。したがって、信号出力装置の破損を防ぐことができ、クロストークを小さくすることができる。また、第１の抵抗及び第２の抵抗の抵抗値がそれぞれ接続されるヘッドホンのボイス・コイルの抵抗成分の抵抗値と一致する場合には、クロストークの発生を防ぐことができる。


【手続補正１１】
【補正対象書類名】明細書
【補正対象項目名】００６０
【補正方法】変更
【補正の内容】
【００６０】
また、本発明によると、第１の正相増幅手段及び第２の正相増幅手段と、第１の逆相増幅手段及び第２の逆相増幅手段と、第１の正相増幅手段の出力側に接続される第１の正相出力端子と、第２の正相増幅手段の出力側に接続される第２の正相出力端子と、第１の逆相増幅手段の出力側に接続される第１の逆相出力端子と、第２の逆相増幅手段の出力側に接続される第２の逆相出力端子と、を備え、第１の正相増幅手段及び第１の逆相増幅手段が第１の入力信号を入力し、第２の正相増幅手段及び第２の逆相増幅手段が第２の入力信号を入力し、第１の逆相増幅手段と第１の逆相出力端子とが第１の抵抗を介して接続され、第２の逆相増幅手段と第２の逆相出力端子とが第２の抵抗を介して接続されるので、第１の正相出力端子と第１の逆相出力端子がヘッドホンのボイス・コイルを介して接続されると第１の逆相出力端子の電位を第１の正相増幅手段の出力信号と第１の逆相増幅手段の出力信号との中間レベル付近にすることができ、第２の正相出力端子と第２の逆相出力端子がヘッドホンのボイス・コイルを介して接続されると第２の逆相出力端子の電位を第２の正相増幅手段の出力信号と第２の逆相増幅手段の出力信号との中間レベル付近にすることができる。これにより、３端子ヘッドホンが接続されることによって第１の逆相出力端子と第２の逆相出力端子とが接続されても、第１の逆相出力端子と第２の逆相出力端子との電位差を小さくすることができる。したがって、信号出力装置の破損を防ぐことができ、クロストークを小さくすることができる。また、第１の抵抗及び第２の抵抗の抵抗値がそれぞれ接続されるヘッドホンのボイス・コイルの抵抗成分の抵抗値と一致する場合には、クロストークの発生を防ぐことができる。


【手続補正１２】
【補正対象書類名】明細書
【補正対象項目名】００６１
【補正方法】変更
【補正の内容】
【００６１】
また、本発明によると、前記第１の入力信号及び第２の入力信号が２値量子化信号であるので、ディジタル信号出力装置となる。これにより、このディジタル信号出力装置とオーディオ機器に設けられる他のディジタル回路とからなる集積回路の製造が容易になり、オーディオ機器の低コスト化を図ることができる。